(57)【要約】【課題】複数の映像情報からユーザが所望するシーンを検索できる映像検索プログラム、映像検索方法および映像情報処理装置を提供する。【解決手段】映像検索プログラムは、ゴルフコースのホールの指定を受け付けた場合に、指定されたホールで競技中の選手、または競技した選手の複数の競技位置を表示する処理をコンピュータに実行させる。記憶部は、複数の情報処理端末から撮影された映像を示す映像情報を、撮影された位置を示す位置情報と対応づけて記憶する。映像検索プログラムは、記憶部を参照して、表示した複数の競技位置から所定の範囲内の位置で撮影された複数の映像情報を特定する処理をコンピュータに実行させる。映像検索プログラムは、特定した複数の映像情報からいずれかの映像情報を選択可能に表示する処理をコンピュータに実行させる。【選択図】図２
2018169735.tif 000002
【特許請求の範囲】
【請求項１】
ゴルフコースのホールの指定を受け付けた場合に、指定されたホールで競技中の選手、または競技した選手の複数の競技位置を表示し、
複数の情報処理端末から撮影された映像を示す映像情報を、撮影された位置を示す位置情報と対応づけて記憶する記憶部を参照して、表示した前記複数の競技位置から所定の範囲内の位置で撮影された複数の映像情報を特定し、
特定した前記複数の映像情報からいずれかの映像情報を選択可能に表示する、
処理をコンピュータに実行させることを特徴とする映像検索プログラム。
【請求項２】
前記記憶部は、前記映像情報に、さらに、撮影された日時を示す時刻情報を対応づけて記憶し、
前記ホールの指定に併せて競技の日時の指定を受け付けた場合に、指定されたホールで指定された日時に競技した選手の競技位置から所定の範囲内の位置で指定された日時に撮影された映像情報を特定する、
ことを特徴とする請求項１に記載の映像検索プログラム。
【請求項３】
前記記憶部は、前記映像情報に、さらに、撮影された選手または撮影場面を示すタグ情報を対応づけて記憶し、
前記複数の映像情報からいずれかの映像情報を選択可能に表示する際に、併せて前記タグ情報を表示する、
ことを特徴とする請求項１または２に記載の映像検索プログラム。
【請求項４】
前記記憶部は、前記映像情報に、さらに、映像の良し悪しの程度を示すスコアを対応づけて記憶し、
前記複数の映像情報からいずれかの映像情報を選択可能に表示する際に、併せて前記スコアを表示する、
ことを特徴とする請求項１〜３のいずれか１項に記載の映像検索プログラム。
【請求項５】
ゴルフコースのホールの指定を受け付けた場合に、指定されたホールで競技中の選手、または競技した選手の複数の競技位置を表示し、
複数の情報処理端末から撮影された映像を示す映像情報を、撮影された位置を示す位置情報と対応づけて記憶する記憶部を参照して、表示した前記複数の競技位置から所定の範囲内の位置で撮影された複数の映像情報を特定し、
特定した前記複数の映像情報からいずれかの映像情報を選択可能に表示する、
処理をコンピュータが実行することを特徴とする映像検索方法。
【請求項６】
ゴルフコースのホールの指定を受け付けた場合に、指定されたホールで競技中の選手、または競技した選手の複数の競技位置を表示する位置表示部と、
複数の情報処理端末から撮影された映像を示す映像情報を、撮影された位置を示す位置情報と対応づけて記憶する記憶部を参照して、表示した前記複数の競技位置から所定の範囲内の位置で撮影された複数の映像情報を特定する特定部と、
特定した前記複数の映像情報からいずれかの映像情報を選択可能に表示する映像表示部と、
を有することを特徴とする映像情報処理装置。
【発明の詳細な説明】
【技術分野】
【０００１】
本発明は、映像検索プログラム、映像検索方法および映像情報処理装置に関する。
【背景技術】
【０００２】
例えば、ゴルフやサッカー等のスポーツやコンサートにおいて、複数の地点から撮影された映像が提供される。
【先行技術文献】
【特許文献】
【０００３】
【特許文献１】特開２０１５−２０１０８２号公報
【発明の概要】
【発明が解決しようとする課題】
【０００４】
しかしながら、ユーザごとに閲覧の目的によって見たい映像が異なる。例えば、見たい選手が決まっている場合がある。また、選手のフォームを見たい場合もあれば、ボールの飛行程を見たい場合もある。一方、例えば、選手に同行してゴルフを観戦する複数の観客のそれぞれが撮影した多様な映像が提供された場合に、ユーザが所望のシーンを探し出すには多大な手間がかかることになる。
【０００５】
一つの側面では、複数の映像情報からユーザが所望するシーンを検索できる映像検索プログラム、映像検索方法および映像情報処理装置を提供することにある。
【課題を解決するための手段】
【０００６】
一つの態様では、映像検索プログラムは、ゴルフコースのホールの指定を受け付けた場合に、指定されたホールで競技中の選手、または競技した選手の複数の競技位置を表示する処理をコンピュータに実行させる。記憶部は、複数の情報処理端末から撮影された映像を示す映像情報を、撮影された位置を示す位置情報と対応づけて記憶する。映像検索プログラムは、記憶部を参照して、表示した前記複数の競技位置から所定の範囲内の位置で撮影された複数の映像情報を特定する処理をコンピュータに実行させる。映像検索プログラムは、特定した前記複数の映像情報からいずれかの映像情報を選択可能に表示する処理をコンピュータに実行させる。
【発明の効果】
【０００７】
複数の映像情報からユーザが所望するシーンを検索できる。
【図面の簡単な説明】
【０００８】
【図１】図１は、実施例の映像情報処理システムの構成の一例を示すイメージ図である。
【図２】図２は、実施例の映像情報処理システムの構成の一例を示すブロック図である。
【図３】図３は、映像情報記憶部の一例を示す図である。
【図４】図４は、被写体情報記憶部の一例を示す図である。
【図５】図５は、映像検索画面の一例を示す図である。
【図６】図６は、映像検索画面の一例を示す図である。
【図７】図７は、実施例の映像検索処理の一例を示すフローチャートである。
【図８】図８は、映像検索プログラムを実行するコンピュータの一例を示す図である。
【発明を実施するための形態】
【０００９】
以下、図面に基づいて、本願の開示する映像検索プログラム、映像検索方法および映像情報処理装置の実施例を詳細に説明する。なお、本実施例により、開示技術が限定されるものではない。また、以下の実施例は、矛盾しない範囲で適宜組みあわせてもよい。
【実施例】
【００１０】
図１は、実施例の映像情報処理システムの構成の一例を示すイメージ図である。このイメージ図を参照して、映像情報処理システムの動作例を説明する。図１に示すように、ゴルフの試合の観客のそれぞれが、ヘッドマウントカメラ（ＨＭＣ）等のカメラ機能を備えた端末装置（情報処理端末）１０を装着し、ゴルフを観戦している場合を例に説明する。この端末装置１０は、ゴルフの選手等を撮影した映像情報に、撮影日時を示す時刻情報と撮影位置を示す位置情報と、被写体である選手との撮影角度を示す撮影角度情報とを付与して、映像情報処理装置１００に送信する。
【００１１】
映像情報処理装置１００は、各端末装置１０から受信した映像情報を記憶する。その際、映像情報処理装置１００は、位置情報や時刻情報を用いて、機械学習による画像認識や人手すなわち目視により映像情報を解析する。例えば、映像情報に選手名やホール名等をタグ付けする。また、映像情報処理装置１００は、ブレ画像やプライベート画像等を削除する。
【００１２】
また、映像情報処理装置１００は、ユーザが所望するシーンを撮影した映像情報を検索して、ユーザの表示装置２０に提供する。例えば、映像情報処理装置１００は、観戦席に座っている観客や選手の移動中の待ち時間の観客、自宅で視聴するユーザやゴルフレッスンに活用しようとするユーザ等から要求があった場合に、各ユーザの目的に応じて所望のシーンを選択させて映像情報を提供する。例えば、映像情報処理装置１００は、ユーザがホールを指定して要求した場合に、ユーザの表示装置２０に、そのホールで競技中の選手の競技位置を表示し、各競技位置の近傍で撮影された映像情報を検索して一覧的に表示する。そして、映像情報処理装置１００は、一覧の中からユーザが選択した映像情報をユーザの表示装置２０に送信する。
【００１３】
図２は、実施例の映像情報処理システムの構成の一例を示すブロック図である。図２を参照して、映像情報送信システム１の構成を詳細に説明する。
【００１４】
図２に示す映像情報処理システム１は、端末装置１０と、表示装置２０と、映像情報処理装置１００とを有する。なお、端末装置１０および表示装置２０の数は限定されず、任意の数の端末装置１０および表示装置２０を有してもよい。端末装置１０と映像情報処理装置１００との間、および表示装置２０と映像情報処理装置１００との間は、それぞれ、ネットワークＮを介して相互に通信可能に接続される。かかるネットワークＮには、有線または無線を問わず、インターネットを始め、ＬＡＮ（Local  Area  Network）やＶＰＮ（Virtual  Private  Network）などの任意の種類の通信網を採用できる。
【００１５】
まず、端末装置１０を説明する。端末装置１０は、ＨＭＣ等のカメラ１２を備えた情報処理装置である。また、端末装置１０には、タブレット端末やスマートフォン等の移動体通信端末や可搬型のパーソナルコンピュータ等を用いるようにしてもよい。
【００１６】
端末装置１０は、図２に示すように、通信部１１と、制御部１４とカメラ１２とを有する。通信部１１は、例えば、無線ＬＡＮやＬＴＥ（Long  Term  Evolution）等の通信モジュールによって実現される。通信部１１は、ネットワークＮを介して映像情報送信装置１００と無線で接続され、映像情報送信装置１００との間の通信を司る通信インタフェースである。通信部１１は、例えば、制御部１４から入力された映像情報を映像情報送信装置１００へ送信する。制御部１４は、ＣＰＵ（Central  Processing  Unit）やＭＰＵ（Micro  Processing  Unit）等によって実現される。カメラ１２は、ユーザの視線方向の映像を撮影する。
【００１７】
端末装置１０は、例えば、ゴルフの試合中に選手に同行する観客が装着し、カメラ１２で撮影された選手等の映像情報を、通信部１１およびネットワークＮを介して、映像情報処理装置１００に送信する。その際、端末装置１０の制御部１４が、日時等の時間情報と撮影位置を示す位置情報と被写体である選手との撮影角度を示す撮影角度情報とを映像情報に付与し、映像情報処理装置１００に送信する。
【００１８】
次に、表示装置２０を説明する。表示装置２０は、例えば、映像情報処理装置１００が提供する映像検索サービスをユーザが利用するための情報処理装置であり、据置型や可搬型のパーソナルコンピュータ等を用いることができる。また、表示装置２０には、タブレット端末やスマートフォン等の移動体通信端末等を用いるようにしてもよい。また、表示装置２０は、端末装置１０に付帯するヘッドマウントディスプレイ等で実現されてもよい。
【００１９】
表示装置２０は、図２に示すように、通信部２１と、制御部２４と、表示部２３とを有する。通信部２１は、例えばＮＩＣ（Network  Interface  Card）等によって実現される。通信部２１は、ネットワークＮを介して映像情報送信装置１００と有線または無線で接続され、映像情報送信装置１００との間の通信を司る通信インタフェースである。通信部２１は、例えば、制御部２４から入力されたホールを指定する情報を映像情報送信装置１００へ送信したり、映像情報送信装置１００から送信された映像情報を制御部２４へ出力したりする。
【００２０】
制御部２４は、ＣＰＵやＭＰＵ等によって実現される。表示部２３は、液晶ディスプレイ等の表示デバイスによって実現され、例えば、制御部２４から出力される映像情報（例えば、映像情報処理装置１００から送信された映像情報）を表示する。
【００２１】
表示装置２０では、例えば、映像情報処理装置１００が提供する映像検索サービスのサービス画面において、ユーザから、ホールを指定する情報や複数の選択肢の中から映像情報を選択する情報が入力される。表示装置２０は、通信部２１およびネットワークＮを介して、入力された情報を映像情報処理装置１００に送信する。また、表示装置２０は、ネットワークＮおよび通信部２１を介して、映像情報処理装置１００から、映像情報の選択肢を示す映像検索画面や選択した映像情報を受信する。表示装置２０は、受信した映像情報を表示部２３に表示して、ユーザに所望のシーンの映像を提供する。
【００２２】
次に、映像情報処理装置１００を説明する。映像情報処理装置１００は、端末装置１０から受信した映像情報を記憶し、表示装置２０から要求された映像情報を検索して提供する情報処理装置である。映像情報処理装置１００は、端末装置１０から受信した映像情報を映像情報記憶部１２１に保存する。その際に、映像情報処理装置１００は、映像情報を解析し、選手名やホール名等をタグ付けしたり、ブレ画像やプライベート画像等を削除したり、映像の良し悪しの程度を表すスコアを付与したりする。また、映像情報処理装置１００は、後述する映像検索処理により、表示装置２０のユーザが指定したホールの近傍で撮影された映像情報を映像情報記憶部１２１から検索し、選択肢として一覧的に表示する映像検索画面を表示し、ユーザに所望のシーンを選択させる。
【００２３】
映像情報処理装置１００は、図２に示すように、通信部１１０と、表示部１１１と、操作部１１２と、記憶部１２０と、制御部１３０とを有する。なお、映像情報処理装置１００は、図２に示す機能部以外にも既知のコンピュータが有する各種の機能部、例えば各種の入力デバイスや音声出力デバイス等の機能部を有することとしてもかまわない。
【００２４】
通信部１１０は、例えば、ＮＩＣ等によって実現される。通信部１１０は、ネットワークＮを介して端末装置１０および表示装置２０と有線または無線で接続され、端末装置１０または表示装置２０との間の情報の通信を司る通信インタフェースである。例えば、通信部１１０は、制御部１３０から入力された映像検索画面や選択された映像情報を表示装置２０に送信する。また、通信部１１０は、端末装置１０から受信した映像情報を制御部１３０に出力する。また、通信部１１０は、表示装置２０から受信した、ホールを指定する情報や、複数の選択肢の中から映像情報を選択する情報を制御部１３０に出力する。
【００２５】
表示部１１１は、映像情報処理装置１００の管理者に対して各種情報を表示するための表示デバイスである。表示部１１１は、例えば、表示デバイスとして液晶ディスプレイ等によって実現される。表示部１１１は、制御部１３０から入力された表示画面等の各種画面を表示する。
【００２６】
操作部１１２は、映像情報処理装置１００の管理者から各種操作を受け付ける入力デバイスである。操作部１１２は、例えば、入力デバイスとして、キーボードやマウス等によって実現される。操作部１１２は、管理者によって入力された操作を操作情報として制御部１３０に出力する。なお、操作部１１２は、入力デバイスとして、タッチパネル等によって実現されるようにしてもよく、表示部１１１の表示デバイスと、操作部１１２の入力デバイスとは、一体化されるようにしてもよい。
【００２７】
記憶部１２０は、例えば、ＲＡＭ（Random  Access  Memory）、フラッシュメモリ（Flash  Memory）等の半導体メモリ素子、ハードディスクや光ディスク等の記憶装置によって実現される。記憶部１２０は、映像情報記憶部１２１および被写体情報記憶部１２２を有する。また、記憶部１２０は、制御部１３０での処理に用いる情報を記憶する。
【００２８】
映像情報記憶部１２１は、各端末装置１０から送信された映像情報を記憶する。例えば、映像情報記憶部１２１は、端末装置１０を識別する端末ＩＤと、当該端末装置１０から送信された映像情報に付与された時刻情報と、位置情報と、撮影角度情報と、映像情報とを対応付けて記憶する。なお、スコアと、選手名およびホール名のタグ情報とは、後述する映像検索処理において付与される。
【００２９】
図３は、映像情報記憶部の一例を示す図である。例えば、図３に示す映像情報記憶部１２１は、端末ＩＤ「Ａ」の端末装置１０から送信された、時刻「ａａ」、位置「ｘｘ」、撮影角度「・・・」、スコア「１０」、選手名「選手Ａ」、ホール名「１ホール」の映像データを記憶する。また、例えば、映像情報記憶部１２１は、端末ＩＤ「Ｂ」の端末装置１０から送信された、時刻「ａａ」、位置「ｘｘ」、撮影角度「・・・」、スコア「３」、選手名「選手Ｂ」、ホール名「９ホール」の映像データを記憶する。
【００３０】
被写体情報記憶部１２２は、ゴルフの選手等の被写体の競技位置を示す位置情報を記憶する。図４は、被写体情報記憶部の一例を示す図である。図４に示すように、被写体情報記憶部１２２は、「被写体ＩＤ」、「日時」、「競技位置」等の項目を有する。
【００３１】
「被写体ＩＤ」は、映像情報の被写体である選手を識別する識別子である。「日時」は、競技の日時を示す情報である。「競技位置」は、被写体すなわち選手のゴルフコースにおける競技の位置を示す情報であり、例えばホール上の位置で表される。「競技位置」には、当該ホールにおける何打目かを示す情報が付加されてもよい。図４の例では、例えば、被写体ＩＤ「選手Ａ」が日時「ａａ」に競技位置「αα」に居ることを示す。
【００３２】
図２の説明に戻る。制御部１３０は、例えば、ＣＰＵやＭＰＵ等によって、内部の記憶装置に記憶されているプログラムがＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現されるようにしてもよい。
【００３３】
制御部１３０は、受信部１３１と、解析部１３２と、位置表示部１３３と、特定部１３４と、映像表示部１３５と、送信部１３６とを有し、以下に説明する情報処理の機能や作用を実現または実行する。なお、制御部１３０の内部構成は、図２に示した構成に限定されず、後述する映像検索処理を行う構成であれば他の構成であってもよい。
【００３４】
受信部１３１は、ネットワークＮおよび通信部１１０を介して、端末装置１０から映像情報を受信する。その際に併せて、受信部１３１は、映像情報に付与された位置情報と時刻情報と撮影角度情報とを受信する。ここで、位置情報は、撮影された位置を示す情報である。時刻情報は、撮影された時刻を示す情報である。撮影角度情報とは、撮影対象の選手との撮影角度を示す情報である。受信部１３１は、受信した位置情報と時刻情報と撮影角度情報とを含む映像情報を、解析部１３２に出力する。
【００３５】
解析部１３２は、受信部１３１から入力された映像情報を解析し、解析結果を付加した映像情報を映像情報記憶部１２１に保存する。例えば、解析部１３２は、被写体情報記憶部１２２の参照や、機械学習による画像認識等により、映像情報に選手名やホール名等のタグ情報を付与する。なお、付与されるタグ情報は、選手名やホール名に限定されず、例えば、何打目かを示す打数、７番アイアン等の道具、パッドやバンカー等のシーン（撮影場面）が付与されてもよい。また、これらのタグ情報は、端末装置１０の制御部１４が、被写体情報記憶部１２２の参照や機械学習による画像認識等により、あるいは人手を介して付与してもよい。
【００３６】
また、解析部１３２は、映像情報に、映像の良し悪しの程度を表すスコアの判定値を付与する。例えば、解析部１３２は、機械学習による画像認識等により、被写体の顔が障害物に遮られずに映っているか、被写体が小さすぎないか、あるいは映像がぶれていないか等の観点でスコアを判定する。このスコアは、映像情報が良い映像である度合いを示し、例えば、映像情報の映像に、所定の選手が映っている領域の割合、映像のブレの発生の度合い、撮影角度のいずれか、またはこれらの組み合わせにより算出される。
【００３７】
また、解析部１３２は、ブレ画像やプライベート画像等を削除する。例えば、解析部１３２は、上記のように算出したブレの発生の度合いを示すスコアが所定の値より低い場合や、所定の選手が映っていない場合等に、この映像情報を映像情報記憶部１２１への保存の対象から削除する。
【００３８】
位置表示部１３３は、ゴルフコースのホールの指定を受け付けた場合に、指定されたホールで競技中の選手、または競技した選手の複数の競技位置を表示する。
【００３９】
具体的には、位置表示部１３３は、ネットワークＮおよび通信部１１０を介して、表示装置２０からゴルフコースのホールの指定を受け付ける。例えば、位置表示部１３３は、映像検索サービスのゴルフコースのマップ上でホールを指定可能に表示するサービス画面を生成し、通信部１１０およびネットワークＮを介して表示装置２０に送信する。また、位置表示部１３３は、ネットワークＮおよび通信部１１０を介して、表示装置２０からホールを指定する情報を受信すると、受信した情報を受け付ける。
【００４０】
そして、位置表示部１３３は、受け付けたホールの指定の情報を用いて、被写体情報記憶部１２２を参照して、当該ホールで現在競技中の選手の複数の競技位置を特定する。また、位置表示部１３３は、ゴルフコースの指定されたホールのマップ上に、特定した複数の競技位置を重畳して表示する表示画面を生成し、映像表示部１３５に出力する。
【００４１】
なお、位置表示部１３３は、ホールを指定する情報に併せて、競技の日時を指定する情報を受け付けてもよい。その場合に、位置表示部１３３は、指定された日時に指定されたホールで競技した選手の競技位置を表示する表示画面を生成する。
【００４２】
あるいは、位置表示部１３３は、ホールを指定する情報に併せて、選手を指定する情報を受け付けてもよい。その場合に、位置表示部１３３は、指定されたホールにおける指定された選手の現在までの競技位置を表示する表示画面を生成する。
【００４３】
特定部１３４は、複数の端末装置１０から撮影された映像を示す映像情報を、撮影された位置を示す位置情報と対応づけて記憶する映像情報記憶部１２１を参照して、表示した複数の競技位置から所定の範囲内の位置で撮影された複数の映像情報を特定する。
【００４４】
具体的には、特定部１３４は、位置表示部１３３が特定した各競技位置を用いて映像情報記憶部１２１の位置情報を参照し、各競技位置からの距離が所定の範囲内の近傍で撮影された映像情報を特定する。また、特定部１３４は、特定した映像情報を映像表示部１３５に出力する。なお、特定部１３４は、競技の日時が指定された場合には、指定された日時の映像情報を特定する。
【００４５】
また、特定部１３４は、さらに、映像情報記憶部１２１に付与されている道具やシーン等のタグ情報の内容が、指定された内容に該当する映像情報を特定してもよい。例えば、特定部１３４が、道具「７番アイアン」のようにタグ情報の内容を指定する情報を受け付けることにより実現できる。あるいは、位置表示部１３３がホールを指定する情報に併せて、タグ情報の内容を指定する情報を受け付けることによっても実現できる。
【００４６】
映像表示部１３５は、特定した複数の映像情報からいずれかの映像情報を選択可能に表示する。具体的には、映像表示部１３５は、位置表示部１３３が生成した表示画面に重畳して、特定部１３４が特定した各競技位置の近傍で撮影された映像情報を選択可能に表示する映像検索画面を生成する。また、映像表示部１３５は、生成した映像検索画面を送信部１５６に出力する。
【００４７】
ここで、図５および図６は、映像検索画面の一例を示す図である。映像表示部１３５は、位置表示部１３３が生成した表示画面の各競技位置に、特定部１３４が特定した各競技位置の近傍で撮影された映像情報を対応付けて、例えばサムネイル表示等により一覧的に表示する映像検索画面を生成する。
【００４８】
例えば、図５には、指定された「１ホール」で現在競技中の選手の競技位置と、各競技位置の近傍で撮影された映像情報とが表示されている。図５には、選手Ａおよび選手Ｂのパーティの競技位置と、選手Ｃおよび選手Ｄのパーティの競技位置とが表示され、各競技位置の近傍で撮影された３つの映像情報がそれぞれサムネイル表示されている。
【００４９】
また、図６には、指定された「１ホール」で指定された「選手Ａ」が競技した競技位置と、各競技位置の近傍で撮影された映像情報とが表示されている。図６に示す例では、指定された「選手Ａ」の何打目かによって異なる各競技位置の近傍で撮影された映像情報が一覧的に表示される。
【００５０】
なお、映像表示部１３５の表示は、サムネイル表示に限定されない。例えば、選手名等のタグ情報や撮影角度等に基づいて付与された、映像の内容を端的に表す「選手Ａの正面映像」等の映像名をリスト表示してもよい。
【００５１】
また、映像表示部１３５は、映像情報記憶部１２１を参照し、映像検索画面の各映像情報に対応付けて、選手名やスコアや撮影角度等を表示してもよい。これにより、表示装置２０のユーザが選手名や映像の良し悪しの程度や撮影角度等を参照して、見たい映像をより容易に選択できる。
【００５２】
送信部１３６は、通信部１１０およびネットワークＮを介して、映像検索画面を表示装置２０に送信する。表示装置２０では、この映像検索画面を用いて、表示された複数の映像情報のうちの１つを選択する操作を受け付けることが可能である。送信部１３６は、ネットワークＮおよび通信部１１０を介して、表示装置２０から、映像情報を選択する情報を受信すると、受信した情報を受け付ける。そして、送信部１３６は、ユーザが選択した映像情報を映像情報記憶部１２１から抽出し、通信部１１０およびネットワークＮを介して表示装置２０に送信する。これにより、表示装置２０のユーザが、選択した映像情報を閲覧することができる。
【００５３】
次に、実施例の映像情報処理装置１００の動作について説明する。図７は、実施例の映像検索処理の一例を示すフローチャートである。
【００５４】
表示装置２０は、映像検索サービスのサービス画面において、ユーザからホールを指定する情報が入力されると、入力されたホールを指定する情報を映像情報処理装置１００に送信する。映像情報処理装置１００の位置表示部１３３は、表示装置２０からホールを指定する情報を受信すると、受信したホールの指定の情報を受け付ける（ステップＳ１）。
【００５５】
位置表示部１３３は、受け付けたホールの指定の情報を用いて、被写体情報記憶部１２２を参照して、当該ホールで現在競技中の選手の複数の競技位置を特定する。また、位置表示部１３３は、ゴルフコースの指定されたホールのマップ上に、特定した複数の競技位置を重畳して表示する表示画面を生成する（ステップＳ２）。
【００５６】
特定部１３４は、位置表示部１３３が特定した各競技位置を用いて映像情報記憶部１２１の位置情報を参照し、各競技位置から所定の範囲内の近傍の位置で撮影された映像情報を特定する（ステップＳ３）。
【００５７】
映像表示部１３５は、位置表示部１３３が生成した表示画面に重畳して、特定した各競技位置の近傍で撮影された映像情報を選択可能に表示する映像検索画面を生成する（ステップＳ４）。また、映像表示部１３５は、映像検索画面を送信部１３６に出力する。
【００５８】
送信部１３６は、通信部１１０およびネットワークＮを介して、映像検索画面を表示装置２０に送信する。表示装置２０では、この映像検索画面を用いて、表示された複数の映像情報のうちの１つを選択する操作を受け付けることが可能である。送信部１３６は、ネットワークＮおよび通信部１１０を介して、表示装置２０から、映像情報を選択する情報を受信すると、受信した情報を受け付ける。そして、送信部１３６は、ユーザが選択した映像情報を映像情報記憶部１２１から抽出し、通信部１１０およびネットワークＮを介して表示装置２０に送信する（ステップＳ５）。これにより、表示装置２０のユーザが、複数の映像情報から所望するシーンを検索して閲覧することが可能となる。
【００５９】
このように、映像情報処理装置１００では、位置表示部１３３は、ゴルフコースのホールの指定を受け付けた場合に、指定されたホールで競技中の選手、または競技した選手の複数の競技位置を表示する。また、映像情報記憶部１２１は、複数の端末装置１０から撮影された映像を示す映像情報を、撮影された位置を示す位置情報と対応づけて記憶する。また、特定部１３４は、映像情報記憶部１２１を参照して、表示した複数の競技位置から所定の範囲内の位置で撮影された複数の映像情報を特定する。また、映像表示部１３５は、特定した複数の映像情報からいずれかの映像情報を選択可能に表示する。これにより、表示装置２０のユーザが、複数の映像情報から所望するシーンを容易に検索できる。
【００６０】
また、映像情報記憶部１２１は、映像情報に、さらに、撮影された日時を示す時刻情報を対応づけて記憶する。特定部１３４は、ホールの指定に併せて競技の日時の指定を受け付けた場合に、指定されたホールで指定された日時に競技した選手の競技位置から所定の範囲内の位置で指定された日時に撮影された映像情報を特定する。その結果、表示装置２０のユーザが所望するシーンをより的確に検索できる。
【００６１】
また、映像情報記憶部１２１は、映像情報に、さらに、撮影された選手またはシーン（撮影場面）を示すタグ情報を対応づけて記憶する。映像表示部１３５は、複数の映像情報からいずれかの映像情報を選択可能に表示する際に、併せて該タグ情報を表示する。その結果、表示装置２０のユーザが所望するシーンをより容易に検索できる。
【００６２】
また、映像情報記憶部１２１は、映像情報に、さらに、映像の良し悪しの程度を示すスコアを対応づけて記憶する。映像表示部１３５は、複数の映像情報からいずれかの映像情報を選択可能に表示する際に、併せて該スコアを表示する。その結果、表示装置２０のユーザが所望するシーンをより容易に検索できる。
【００６３】
なお、上記実施例において映像情報処理システム１は、ゴルフの試合観戦に用いられる場合を例に説明したが、他のスポーツの試合観戦に用いられてもよい。
【００６４】
また、図示した各部の各構成要素は、必ずしも物理的に図示の如く構成されていることを要しない。すなわち、各部の分散・統合の具体的形態は図示のものに限られず、その全部または一部を、各種の負荷や使用状況等に応じて、任意の単位で機能的または物理的に分散・統合して構成することができる。例えば、位置表示部１３３と映像表示部１３５とを統合してもよい。また、図示した各処理は、上記の順番に限定されるものでなく、処理内容を矛盾させない範囲において、同時に実施してもよく、順序を入れ替えて実施してもよい。
【００６５】
さらに、各装置で行われる各種処理機能は、ＣＰＵ（またはＭＰＵ、ＭＣＵ（Micro  Controller  Unit）等のマイクロ・コンピュータ）上で、その全部または任意の一部を実行するようにしてもよい。また、各種処理機能は、ＣＰＵ（またはＭＰＵ、ＭＣＵ等のマイクロ・コンピュータ）で解析実行されるプログラム上、またはワイヤードロジックによるハードウェア上で、その全部または任意の一部を実行するようにしてもよいことは言うまでもない。
【００６６】
ところで、上記の実施例で説明した各種の処理は、予め用意されたプログラムをコンピュータで実行することで実現できる。そこで、以下では、上記の実施例と同様の機能を有するプログラムを実行するコンピュータの一例を説明する。図８は、映像検索プログラムを実行するコンピュータの一例を示す図である。
【００６７】
図８に示すように、コンピュータ３００は、各種演算処理を実行するＣＰＵ３０１と、データ入力を受け付ける入力装置３０２と、モニタ３０３とを有する。また、コンピュータ３００は、記憶媒体からプログラム等を読み取る媒体読取装置３０４と、各種装置と接続するためのインタフェース装置３０５と、他の情報処理装置等と有線または無線により接続するための通信装置３０６とを有する。また、コンピュータ３００は、各種情報を一時記憶するＲＡＭ３０７と、ハードディスク装置３０８とを有する。また、各装置３０１〜３０８は、バス３０９に接続される。
【００６８】
ハードディスク装置３０８には、図２に示した受信部１３１、解析部１３２、位置表示部１３３、特定部１３４、映像表示部１３５および送信部１３６の各処理部と同様の機能を有する映像検索プログラムが記憶される。また、ハードディスク装置３０８には、映像情報記憶部１２１、被写体情報記憶部１２２、および、映像検索プログラムを実現するための各種データが記憶される。入力装置３０２は、例えば、コンピュータ３００の管理者から操作情報等の各種情報の入力を受け付ける。モニタ３０３は、例えば、コンピュータ３００の管理者に対して表示画面等の各種画面を表示する。インタフェース装置３０５は、例えば印刷装置等が接続される。通信装置３０６は、例えば、図２に示した通信部１１０と同様の機能を有しネットワークＮと接続され、端末装置１０および表示装置２０と各種情報をやりとりする。
【００６９】
ＣＰＵ３０１は、ハードディスク装置３０８に記憶された各プログラムを読み出して、ＲＡＭ３０７に展開して実行することで、各種の処理を行う。また、これらのプログラムは、コンピュータ３００を図２に示した受信部１３１、解析部１３２、位置表示部１３３、特定部１３４、映像表示部１３５および送信部１３６として機能させることができる。
【００７０】
なお、上記の映像検索プログラムは、必ずしもハードディスク装置３０８に記憶されている必要はない。例えば、コンピュータ３００が読み取り可能な記憶媒体に記憶されたプログラムを、コンピュータ３００が読み出して実行するようにしてもよい。コンピュータ３００が読み取り可能な記憶媒体は、例えば、ＣＤ−ＲＯＭやＤＶＤディスク、ＵＳＢ（Universal  Serial  Bus）メモリ等の可搬型記録媒体、フラッシュメモリ等の半導体メモリ、ハードディスクドライブ等が対応する。また、公衆回線、インターネット、ＬＡＮ等に接続された装置にこの映像検索プログラムを記憶させておき、コンピュータ３００がこれらから映像検索プログラムを読み出して実行するようにしてもよい。
【符号の説明】
【００７１】
１  映像情報処理システム
１０  端末装置
１１  通信部
１２  カメラ
１４  制御部
２０  表示装置
２１  通信部
２３  表示部
２４  制御部
１００  映像情報処理装置
１１０  通信部
１１１  表示部
１１２  操作部
１２０  記憶部
１２１  映像情報記憶部
１２２  被写体情報記憶部
１３０  制御部
１３１  受信部
１３２  解析部
１３３  位置表示部
１３４  特定部
１３５  映像表示部
１３６  送信部
Ｎ  ネットワーク
【図１】
2018169735.tif 000003
【図２】
2018169735.tif 000004
【図３】
2018169735.tif 000005
【図４】
2018169735.tif 000006
【図５】
2018169735.tif 000007
【図６】
2018169735.tif 000008
【図７】
2018169735.tif 000009
【図８】
2018169735.tif 000010